(57)【要約】【課題】内容物を収容部に挿入するために、袋本体の表面と裏面を離間させる際に、表面と裏面それぞれに形成された略Ｃ字状の切り込み線によって画定される舌片が折れ曲がりにくい包装袋を提供すること。【解決手段】上部開放領域３及び収容部４を有する袋本体２を備える包装袋１０であって、上部開放領域３は、その上部３５に上方に開放した上部開口部３１を有すると共に、収容部４の上方に上下方向に幅を有して構成され、上部開放領域３に、包装袋１０を吊り下げるときに用いられる、略Ｃ字状の切り込み線５が設けられ、包装袋１０が吊り下げられる前において、切り込み線５は、非連続部５５を介して非連続的になっている。【選択図】図１
2017193341.tif 000002
【特許請求の範囲】
【請求項１】
上部開放領域及び収容部を有する袋本体を備える包装袋であって、
前記上部開放領域は、その上部に上方に開放した上部開口部を有すると共に、前記収容部の上方に上下方向に幅を有して構成され、
前記上部開放領域に、包装袋を吊り下げるときに用いられる、略Ｃ字状の切り込み線が設けられ、
包装袋が吊り下げられる前において、前記切り込み線は、非連続部を挟んで非連続的になっている、包装袋。
【請求項２】
前記切り込み線は、前記非連続部が破断することによって、略Ｃ字状に連続する、請求項１に記載の包装袋。
【請求項３】
前記非連続部の長さは、０．１ｍｍ以上１．０ｍｍ以下である、請求項１又は２に記載の包装袋。
【請求項４】
シール領域と内容物が収容された収容部とを有する袋本体を備える包装袋であって、
前記シール領域は、前記収容部の上方に上下方向に幅を有して構成され、
前記シール領域又は前記袋本体における前記シール領域よりも上方の領域に、包装袋を吊り下げるときに用いられる、略Ｃ字状の切り込み線が設けられ、
包装袋が吊り下げられる前において、前記切り込み線は、非連続部を介して非連続的になっている、包装袋。
【請求項５】
前記切り込み線は、前記非連続部が破断することによって、略Ｃ字状に連続する、請求項４に記載の包装袋。
【請求項６】
前記非連続部の長さは、０．１ｍｍ以上１．０ｍｍ以下である、請求項４又は５に記載の包装袋。
【発明の詳細な説明】
【技術分野】
【０００１】
本発明は、吊り下げられる包装袋に関する。
【背景技術】
【０００２】
内容物が収容された収容部を有する包装袋を吊り下げて展示するために、包装袋の上部に、略Ｃ字状の切り込み線を有する包装袋が知られている（例えば下記特許文献１参照）。略Ｃ字状の切り込み線によって画定される舌片は、例えば、店頭の展示用の吊り下げ用フックに押されて、折れ曲げられ、その結果、略Ｃ字状の切り込み線から吊り下げ用孔が形成される。このように吊り下げ用孔が形成される場合、貫通孔状の吊り下げ用孔を形成する場合と比べて、穿孔された際に生じる断片が収容部に脱落することが起こりにくく、好ましい。
【０００３】
包装袋の上部に略Ｃ字状の切り込み線を有する包装袋において、上部に上部開口部を有する袋本体の収容部に、上部開口部を介して内容物を挿入することが行われることがある。その場合、内容物を収容部に収容し、収容部の上方の領域をシールした後に、シールされた上方の領域に略Ｃ字状の切り込み線を形成することは比較的困難である。そのため、内容物を収容部に収容しない状態で、収容部の上方の領域に略Ｃ字状の切り込み線を、予め形成することが考えられる。
【先行技術文献】
【特許文献】
【０００４】
【特許文献１】実開昭６２−２０３８３６号公報
【発明の概要】
【発明が解決しようとする課題】
【０００５】
しかし、その場合、以下の課題が生じる。具体的には、略Ｃ字状の切り込み線は、シールされる前の対向する２枚のフィルムそれぞれに形成される。そして、内容物を収容部に挿入するために、２枚のフィルムの表面と裏面は離間される。その際に、２枚のフィルムそれぞれに形成された略Ｃ字状の切り込み線によって画定される舌片同士が引っ掛かって、スムーズに上部開口部を開くことができないことがある。また、舌片同士が引っ掛かって、舌片が袋本体から破断して、収容部に落下することも起こり得る。
【課題を解決するための手段】
【０００６】
本発明者らは、上記課題を解決すべく、鋭意検討を行った結果、略Ｃ字状の切り込み線の構成を工夫することにより、上記課題を解決できることを見出し、本発明を完成するに至った。
【０００７】
（１）上部開放領域及び収容部を有する袋本体を備える包装袋であって、前記上部開放領域は、その上部に上方に開放した上部開口部を有すると共に、前記収容部の上方に上下方向に幅を有して構成され、前記上部開放領域に、包装袋を吊り下げるときに用いられる、略Ｃ字状の切り込み線が設けられ、包装袋が吊り下げられる前において、前記切り込み線は、非連続部を挟んで非連続的になっている、包装袋。
【０００８】
（２）前記切り込み線は、前記非連続部が破断することによって、略Ｃ字状に連続する、請求項１に記載の包装袋。
（１）に記載の包装袋。
【０００９】
（３）前記非連続部の長さは、０．１ｍｍ以上１．０ｍｍ以下である、（１）又は（２）に記載の包装袋。
【００１０】
（４）シール領域と内容物が収容された収容部とを有する袋本体を備える包装袋であって、前記シール領域は、前記収容部の上方に上下方向に幅を有して構成され、前記シール領域又は前記袋本体における前記シール領域よりも上方の領域に、包装袋を吊り下げるときに用いられる、略Ｃ字状の切り込み線が設けられ、包装袋が吊り下げられる前において、前記切り込み線は、非連続部を介して非連続的になっている、包装袋。
【００１１】
（５）前記切り込み線は、前記非連続部が破断することによって、略Ｃ字状に連続する、（４）に記載の包装袋。
【００１２】
（６）前記非連続部の長さは、０．１ｍｍ以上１．０ｍｍ以下である、（４）又は（５）に記載の包装袋。
【発明の効果】
【００１３】
本発明の包装袋によれば、内容物を収容部に挿入するために袋本体の対向する表面と裏面を離間させる際に、切り込み線に起因して表面と裏面が引っ掛かることを抑制できる。
【図面の簡単な説明】
【００１４】
【図１】本発明の第１実施形態の包装袋を示す正面図で、内容物が収容される前の状態を示す図である。
【図２】本発明の第１実施形態の包装袋を示す正面図で、内容物が収容された前の状態を示す図である。
【図３】略Ｃ字状の切り込み線の拡大図であり、（Ａ）は非連続の状態を示す図、（Ｂ）は連続した状態を示す図である。
【図４】（Ａ）〜（Ｃ）は、未収容の包装袋に内容物が挿入されて収容される過程を順次示す斜視図である。
【図５】（Ａ）〜（Ｃ）は、吊り下げ用フックに押されて、略Ｃ字状の切り込み線から吊り下げ用孔が形成されて、包装袋が吊り下げられる過程を順次示す斜視図である。
【図６】本発明の第２実施形態の包装袋を示す正面図で、内容物が収容される前の状態を示す図である（図１対応図）。
【図７】本発明の第２実施形態の包装袋を示す正面図で、内容物が収容された後の状態を示す図である（図２対応図）。
【図８】（Ａ）〜（Ｄ）は、略Ｃ字状の切り込み線のバリエーションを示す図である。
【発明を実施するための形態】
【００１５】
＜第１実施形態＞
以下、本発明の第１実施形態について、詳細に説明する。ただし、本発明は、以下の実施形態に何ら限定されるものではなく、本発明の目的の範囲内において、適宜変更を加えて実施することができる。
【００１６】
＜包装袋＞
以下、図１〜図３を用いて、本発明の第１実施形態の包装袋１（包装袋１０）の全体構成について説明する。図１は、本発明の第１実施形態の包装袋を示す正面図で、内容物が収容される前の状態を示す図である。図２は、本発明の第１実施形態の包装袋を示す正面図で、内容物が収容された前の状態を示す図である。図３は、略Ｃ字状の切り込み線の拡大図であり、（Ａ）は非連続の状態を示す図、（Ｂ）は連続した状態を示す図である。
【００１７】
図１に示すように、第１実施形態の包装袋１０は、収容部４に内容物Ｎ（図２参照）が収容されていない状態においては、上部開放領域３及び収容部４を有する袋本体２を備える包装袋１０である。一方、図２に示すように、第１実施形態の包装袋１は、収容部４に内容物Ｎが収容されている状態においては、シール領域６１と内容物Ｎが収容された収容部４とを有する袋本体２を備える包装袋１である。第１実施形態において、包装袋１０および包装袋１は平パウチである例について、説明する。
【００１８】
本発明においては、収容部４に内容物Ｎが収容されているか否かに拘わらず、その袋を「包装袋」という。ただし、両者の区別のために、収容部４に内容物Ｎが収容されていない状態においては「包装袋１０」といい、収容部４に内容物Ｎが収容されている状態においては「包装袋１」という。
【００１９】
包装袋１０においては、袋本体２は、２枚の矩形で可撓性を有する平坦状のフィルムから構成される。具体的には、袋本体２は、対向する表面側のフィルム３２ａと裏面側のフィルム３２ｂとから構成される（図４（Ａ）参照）。袋本体２の下部は、その全域に亘って下部シール部６５により封止されている。袋本体２の両側部はそれぞれ、その全域に亘って側部シール部６６，６６により封止されている。なお、下部シール部６５又は側部シール部６６を設ける代わりに、フィルムを折り返してもよい。
【００２０】
一方、袋本体２の上部には、上部開放領域３が設けられている。上部開放領域３は、その上部３５に、上方に開放した上部開口部３１を有すると共に、収容部４の上方に上下方向に幅を有して構成される。図１において、符号３６は、上部開放領域３の下縁を示す。上部開放領域３の下縁は、シール領域６１となる領域の下縁でもある。
【００２１】
袋本体２を構成するフィルムとしては、例えば、少なくとも、基材層とシーラント層とを備える積層フィルムを用いることができる。基材層を構成する材料としては、ポリエチレンテレフタレート、ナイロン、ポリプロピレン等のプラスチックや、紙等を用いることができる。基材層は、複数設けられていてもよい。また、シーラント層を構成する材料としては、ポリエチレンやポリプロピレン等を用いることができる。積層フィルムには、印刷層やバリア層が形成されていてもよい。バリア層としては、例えば、アルミニウム箔などの金属箔や、アルミニウムなどの無機物や酸化珪素や酸化アルミニウムなどの無機酸化物等が挙げられる。
【００２２】
［略Ｃ字状の切り込み線］
上部開放領域３には、包装袋１０を吊り下げるときに用いられる、略Ｃ字状の切り込み線５が設けられている。図３に示すように、略Ｃ字状とは、完全には閉じていないが、一部が開放した形状を意味する。略Ｃ字状に関して、後述の非連続部５５については考慮しない。図３（Ｂ）に示すように、切り込み線５の非連続部５５が破断され、破断した非連続部５５から連結スリット５６が形成されることで、吊り下げ用孔５８（図５（Ｃ）参照）が形成される。
【００２３】
包装袋１０が吊り下げられる前において、切り込み線５は、非連続部５５を挟んで非連続的になっている。詳述すると、切り込み線５は、図３（Ａ）に示すように、内端部５２及び外端部５３を有する円弧状の第１部分５１ａと、内端部５２及び外端部５３を有する円弧状の第２部分５１ｂと、第１部分５１ａの内端部５２と第２部分５１ｂの内端部５２との間の非連続部５５と、を備える。
【００２４】
図３（Ａ）に示すように、第１部分５１ａおよび第２部分５１ｂは、内端部５２と外端部５３を結んだ仮想直線Ｌ５２（図３（Ａ）に２点鎖線で示す）を基部として折り曲がりにくい形状及び長さに設定されることが好ましい。例えば、第１部分５１ａおよび第２部分５１ｂにおける内端部５２から外端部５３までの線分（本実施形態においては円弧状）の長さは、仮想直線Ｌ５２の長さに対して２倍以下となる。また、第１部分５１ａおよび第２部分５１ｂの頂部から仮想直線Ｌ５２へ垂下した垂直仮想直線Ｌ５１（図３（Ａ）に２点鎖線で示す）の長さは、仮想直線Ｌ５２の長さに対して０．５倍以下となる。
【００２５】
一方、図３（Ｂ）に示すように、連結スリット５６を介して略Ｃ字状に連続した切り込み線５は、切り込み線５の一方の端部（図３の一方の外端部５３）と他方の端部（図３の他方の外端部５３）とを繋ぐ仮想直線Ｌ５４（図３（Ｂ）に２点鎖線で示す）を基部として、折り曲がりやすい形状及び長さに設定されることが好ましい。例えば、一方の外端部５３から連結スリット５６を介して他方の外端部５３までの線分（本実施形態においては略円弧状）の長さは、仮想直線Ｌ５４の長さに対して２倍以上となる。また、略Ｃ字状に連続した切り込み線５の頂部（本実施形態においては連結スリット５６）から仮想直線Ｌ５４へ垂下した垂直仮想直線Ｌ５６（図３（Ｂ）に２点鎖線で示す）の長さは、仮想直線Ｌ５４の長さに対して１倍以上となる。
【００２６】
非連続部５５の長さＷ５５は、切り込み線５の対向する内端部５２，５２同士を直線的に測った長さである。非連続部５５の長さＷ５５の下限は、例えば０．１ｍｍであり、好ましくは０．２ｍｍあり、更に好ましくは０．３ｍｍである。非連続部５５の長さＷ５５の上限は、例えば１．０ｍｍであり、好ましくは０．９ｍｍあり、更に好ましくは０．８ｍｍである。
【００２７】
図４（Ａ）〜（Ｃ）は、未収容の包装袋に内容物が挿入されて収容される過程を順次示す斜視図である。図５（Ａ）〜（Ｃ）は、吊り下げ用フックに押されて、略Ｃ字状の切り込み線から吊り下げ用孔が形成されて、包装袋が吊り下げられる過程を順次示す斜視図である。
【００２８】
図４に示すように、図１に示す未収容の包装袋１０の収容部４に、内容物Ｎは次のように収容される。図４（Ａ）に示すように、図１に示す未収容の包装袋１０の上部開放領域３を形成する、対向する表面側のフィルム３２ａと裏面側のフィルム３２ｂとを離間させる。これにより、上部開放領域３の上部の上部開口部３１が開放する。図４（Ｂ）及び（Ｃ）に示すように、開放した上部開口部３１を通じて、内容物Ｎを、上部開放領域３の下方に位置する収容部４に挿入する。その後、上部開放領域３を封止し、図２に示すように、上部開放領域３にシール領域６１を形成する。これにより、内容物Ｎは、収容部４に収容されて密封される。内容物Ｎを収容部４に挿入し、収容部４を真空引きした後、上部開放領域３を封止してもよい。また、対向する切り込み線５同士は完全には重ならないかもしれないが、多少ずれていても実使用上、支障は無い。
【００２９】
図３及び図５に示すように、切り込み線５の非連続部５５が破断することによって、吊り下げ用孔５８が形成される。詳述すると、図５（Ａ）及び（Ｂ）に示すように、包装袋１の略Ｃ字状の切り込み線５を展示用の吊り下げ用フックＰの先端部Ｐ１に接近させる。切り込み線５に包囲された部分は、吊り下げ用フックＰの先端部Ｐ１に押される。そのため、図３（Ｂ）や図５（Ｃ）に示すように、非連続部５５が破断することにより連結スリット５６が形成され、第１部分５１ａと第２部分５１ｂとが連通し、舌片５７および吊り下げ用孔５８が形成される。その結果、包装袋１は、吊り下げ用フックＰに吊り下げされ、展示または陳列される。このとき、舌片５７は、仮想直線Ｌ５４（図３（Ｂ）に２点鎖線で示す）を基部として折り曲げられている。なお、本発明において、舌片５７は、切り込み線５の一方の端部（図３の一方の外端部５３）と他方の端部（図３の外端部５３）とを繋ぐ直線５４の長さに対する切り込み線の一方の端部から他方の端部までの線分の長さが２倍以上のものを指す。
【００３０】
包装袋１に収容される内容物は特には限られないが、内容物の例としては例えば、レトルト食品、冷凍食品や冷蔵食品などを挙げることができる。また食品としては、ハンバーグ、カレー、お粥、焼きそば、惣菜、魚などを挙げることができる。
【００３１】
また、第１実施形態の包装袋１０（包装袋１）によれば、例えば以下の効果が奏される。第１実施形態の包装袋１０は、上部開放領域３及び収容部４を有する袋本体２を備える包装袋１０であって、上部開放領域３は、その上部３５に上方に開放した上部開口部３１を有すると共に、収容部４の上方に上下方向に幅を有して構成され、上部開放領域３に、包装袋１０を吊り下げるときに用いられる、略Ｃ字状の切り込み線５が設けられ、包装袋１０が吊り下げられる前において、切り込み線５は、非連続部５５を挟んで非連続的になっている。
【００３２】
すなわち、内容物Ｎを収容部４に挿入するために、袋本体２の対向する表面側のフィルム３２ａと裏面側のフィルム３２ｂとを離間させるときに、表面側のフィルム３２ａと裏面側のフィルム３２ｂには、舌片５７が形成されていない。従って、切り込み線５に起因して表面側のフィルム３２ａと裏面側のフィルム３２ｂとが引っ掛かることを抑制でき、スムーズに上部開口部３１を開くことができる。また、切り込み線５で包囲された部分が袋本体２から破断して、収容部４に落下することを抑制できる。
【００３３】
＜第２実施形態＞
次に、図６及び図７を用いて、本発明の第２実施形態の包装袋１０Ａ（包装袋１Ａ）について説明する。図６は、本発明の第２実施形態の包装袋を示す正面図で、内容物が収容される前の状態を示す図である（図１対応図）。図７は、本発明の第２実施形態の包装袋を示す正面図で、内容物が収容された後の状態を示す図である（図２対応図）。第２実施形態では、主に第１実施形態との相違点について説明する。第２実施形態においても、第１実施形態と同様の効果が奏される。第２実施形態において特に説明しない点については、第１実施形態の説明が適宜に適用される。
【００３４】
第１実施形態においては、略Ｃ字状の切り込み線５は、シール領域６１（又はそれに対応する上部開放領域３）に設けられている。これに対して、第２実施形態においては、略Ｃ字状の切り込み線５は、シール領域６１よりも上方の領域３７（又はそれに対応する上部開放領域３）に設けられている。図２において、符号３８は、シール領域６１となる領域の上縁を示す。第２実施形態においては、上部開放領域３における上部３５の側の幅は、上部開放領域３における下部の側の幅よりも狭い。
【００３５】
第２実施形態によれば、第１実施形態と同様の効果が奏される。また、切り込み線５の周りの対向する表面側のフィルム３２ａと裏面側のフィルム３２ｂとは、接合されない。そのため、シール領域６１を形成するときの表面側のフィルム３２ａと裏面側のフィルム３２ｂとの位置精度の許容範囲を大きく取ることができる。
【００３６】
以上、本発明の実施形態について説明した。しかし、本発明は、上述した実施形態に限定されることなく、種々の形態で実施することができる。例えば、略Ｃ字状の切り込み線の形状は、前記実施形態における切り込み線５の形状に制限されない。また、袋本体の形状は、上述した平パウチに制限されず、底部にガセット部を有するパウチであってもよい。
【００３７】
［変形例］
図８（Ａ）〜（Ｄ）は、略Ｃ字状の切り込み線５のバリエーションを示す図である。図８（Ａ）に示す略Ｃ字状の切り込み線５Ａのように、非連続部５５は、下方に配置されていてもよい。図８（Ｂ）に示す略Ｃ字状の切り込み線５Ｂのように、切り込み線５Ｂの全体形状は、半円弧状（又は半円弧状よりも中心角が小さい弧状）であってもよい。図８（Ｃ）に示す略Ｃ字状の切り込み線５Ｃのように、第１部分５１ａおよび第２部分５１ｂは、弧状ではなく、線分と弧状部分とを組み合わせたもの（弧状部分の端部に直線状の線分が連結されたもの）であってもよい。図８（Ｄ）に示す略Ｃ字状の切り込み線５Ｄのように、第１部分５１ａおよび第２部分５１ｂは、線分のみから構成されるもの（直線状の線分の端部に直線状の線分が連結されたもの）であってもよい。円弧状の一部又は全部が楕円弧状になっていてもよい。一つの略Ｃ字状の切り込み線５において、複数の非連続部５５が設けられていてもよい。なお、前記実施形態および本変形例において、第１部分５１ａと第２部分５１ｂは同じ形状（対称形を含む）である例を示しているが、第１部分５１ａと第２部分５１ｂの形状は同じでなくてもよい。
【符号の説明】
【００３８】
１  包装袋
１０  包装袋
３  上部開放領域
４  収容部
２  袋本体
３１  上部開口部
３５  上部
３７  上方の領域
５  略Ｃ字状の切り込み線
５５  非連続部
６１  シール領域
Ｎ  内容物
【図１】
2017193341.tif 000003
【図２】
2017193341.tif 000004
【図３】
2017193341.tif 000005
【図４】
2017193341.tif 000006
【図５】
2017193341.tif 000007
【図６】
2017193341.tif 000008
【図７】
2017193341.tif 000009
【図８】
2017193341.tif 000010